(57)【要約】      （修正有）【課題】芝の生育がよく、紙や稲藁から安価で簡単に得られる植物栽培基盤材を提供する。また、軽量で破損しない植木鉢などの植物栽培用容器を提供する。【解決手段】稲藁或いは裁断した稲藁スサを水に浸漬して発酵させて得た稲藁発酵液に裁断紙を浸漬して該裁断紙を一部溶解し、該一部溶解物６’に稲藁スサ７を加えて混練しこの混練物１１を成形型に入れて乾燥し植物栽培基盤材をあるいは該混練物１１を成形型入れて脱水しつつ圧縮し乾燥して植物栽培用容器を得る。【選択図】図３
2010263883.tif 000002
【特許請求の範囲】
【請求項１】
稲藁或いは裁断した稲藁スサを水に浸漬して発酵させて得た稲藁発酵液に裁断紙を浸漬して裁断紙を一部溶解し、該一部溶解物に稲藁スサを加えて混練した後成形し、次いで乾燥したことを特徴とする植物栽培基盤材、或いは植物栽培用容器。
【請求項２】
稲藁或いは裁断した稲藁スサの代わりに、稲藁の半分乃至１／４程度の籾殻を用いて得た稲藁発酵液を用いるものである、請求項１記載の植物栽培基盤材、或いは植物栽培用容器。
【請求項３】
底面或いは底面と側面から脱水できる薄形容器に、請求項１の混練物を充填して成型し、脱型して乾燥或いはある程度乾燥してから脱型して乾燥してなる請求項１記載の平板状の植物栽培基盤材。
【請求項４】
底面或いは上面に、窪みや突状などの凹凸を設けたものである、請求項３記載の平板状の植物栽培基盤材。
【請求項５】
脱水できるザルやカゴなどの湾曲状容器に、請求項１の混練物を充填し、同じく湾曲状容器を押しつけて成型し、脱型して乾燥或いはある程度乾燥してから脱型して乾燥してなる請求項１記載の植木鉢状或いは深皿状の植物栽培用容器。
【請求項６】
底面或いは底面と側面から脱水できる箱形や逆錐台形などの容器に、請求項１の混練物を充填し、中央部に筒状の型を押し込んで空隙部を作るようにして成型し、脱型して乾燥或いはある程度乾燥してから脱型して乾燥してなる請求項１記載のブロック状の植物栽培容器。
【請求項７】
成型用容器に、麻布などの補強材を敷いたのち、請求項１の混練物を充填して成型し、脱型後乾燥或いはある程度乾燥してから脱型して乾燥したものである、請求項３、請求項４、請求項５又は請求項６記載の植物栽培基盤材或いは植物栽培用容器。
【請求項８】
稲藁或いは稲藁スサ４０Ｌに対して水１０〜３０Ｌを投入して数日〜数十日間放置して稲藁発酵液を得るとともに、該発酵液の２０〜４０Ｌに対して裁断紙４０Ｌを投入して数日〜十数日放置して裁断紙を一部溶解し、該一部溶解物に稲藁スサを一部溶解物１に対して稲藁スサ0.１〜２の割合で加えて混練し、この混練物を型に入れて成形乾燥することを特徴とする植物栽培基盤材或いは植物栽培用容器の製造方法。
【請求項９】
稲藁スサに加えて、おが屑や籾殻、ゼオライト、炭粉末などの吸水材を一部溶解物１に対して0.１〜0.３の割合で加えて混練し、この混練物を型に入れて成形乾燥するものである、請求項８記載の植物栽培基盤材或いは植物栽培用容器の製造方法。
【請求項１０】
混練物に、0.１〜３％程度の水溶性接着剤を混入するものである、請求項８又は請求項９記載の植物栽培基盤材或いは植物栽培用容器の製造方法。
【請求項１１】
アスファルト、コンクリート、鉄板、木板などの基材の上に、請求項１の植物栽培基盤材を並べ、その上からカット芝を乗せるとともに散水することを特徴とする芝の育成方法。
【請求項１２】
屋上や庭園など芝生を敷設したい箇所に、請求項１１で得られた育成芝の芝基盤材、或いは請求項１で得られた植物栽培基盤材にカット芝をのせたものを敷設し、散水することを特徴とする芝基盤材の敷設方法。
【請求項１３】
トタン屋根等凹凸のある箇所など施工面が不安定な箇所に育成芝やカット芝を乗せた芝基盤材を敷設する場合には接着剤を使用するが、凹凸のある箇所では凸部に接着材を塗布した後凸部の寸法に裁断した芝基盤材を固定するとともに凹部にも接着材を塗布し、次いで凸部の芝基盤材もろとも屋根等全体をネットで覆うとともに、凹部に芝基盤材を固定することを特徴とする凹凸箇所など施工面が不安定な箇所への芝基盤材の敷設方法。
【請求項１４】
窪みを成形した請求項１の植物基盤材の窪みに植物苗を植えて散水することを特徴とする植物苗の育成方法。
【請求項１５】
請求項１記載の植物栽培用容器を植木鉢とし、土、来待石粉末を造粒して乾燥或いは焼成した栽培土或いは請求項１の稲藁発酵液に裁断紙を浸漬して裁断紙を一部溶解したものを造粒した軽量栽培土を充填して、植物を栽培するものである、植物の栽培方法。
【請求項１６】
植物栽培用容器の底にアルミホイルやフイルムなどの遮水材を敷くか、或いは植物栽培用容器の一部に遮水性の塗料を塗布するものである、請求項１５記載の植物の栽培方法。
【発明の詳細な説明】
【技術分野】
【０００１】
本発明は、新規な植物栽培基盤材或いは植物栽培用容器、及びそれらの製造方法並びに芝基盤材の敷設方法更には植物の育成方法や栽培方法に関するものである。
【背景技術】
【０００２】
現在、建物の屋上緑化には、軽量なこともあって苔や芝生を用いることが盛んに研究されている。中でも、芝は苔よりもボリュームがあるので、様々なタイプのものが開発されている。また、法面やゴルフ場などの芝張りにも、様々な工夫が施されている。
【０００３】
例えば、古紙や裁断くず等を再生処理して得た故紙パルプに粘着剤や接着剤を混練して所定厚みの基布を形成し、その基布に植生材料（芝）を貼着した張芝体（特許文献１）とか、天然繊維や紙、パルプなどの天然素材の繊維の集合体で加工された開口率５〜６０％の網状で厚み５〜４０ｍｍの芝養生マット（特許文献２）とか、紙を乾式で破砕または粉砕して得られる綿状パルプと種子とが混在する播種・成育床用材料（特許文献３）などがある。
【先行技術文献】
【特許文献】
【０００４】
【特許文献１】特開平１１−１７８４４１号公報
【特許文献２】特開平０５−００００２５号公報
【特許文献３】特開平０６−１４１６２２公報
【発明の概要】
【発明が解決しようとする課題】
【０００５】
これらは、いずれも故紙などを利用して芝の種子などを含有させて裸地などに施工するものである。このうち、前二者は古紙などを接着剤で固めるものであり、芝の種子は古紙等と一体化されて施工されるものである。又後者は、綿状の古紙などと種子が混合されており、いずれも種子状態で提供される。従って、これらは芝の発芽や生育に時間が掛かる難点がある。
【課題を解決するための手段】
【０００６】
そこで、本発明者は、鋭意研究した結果、これらの欠点がなく芝の生育が非常に優れた植物栽培基盤材を開発することに成功した。また、植物の育成や生育に適した軽量の植物栽培用容器を開発した。
【０００７】
以下、本発明を詳細に説明する。本発明の植物栽培基盤材或いは植物栽培用容器は、古紙などの裁断紙を、稲藁を水に浸漬して発酵させて得た稲藁発酵液に浸漬したのち、稲藁スサを加えて混練した後成形し、次いで乾燥したものである。
【０００８】
裁断紙を稲藁発酵液に数〜十数日（４〜１４日）程度浸漬して放置した後、ハンドミキサーや混練機で混練すると、裁断紙は形状を崩して膨潤し或いは直径５ｍｍ位のボール状となる。液は粘性をもつようになる。この膨潤した裁断紙のみを成形して乾燥した場合、崩れやすいので、稲藁スサを加える。この稲藁スサは、新たに裁断してつくるのが好ましいが、稲藁発酵液作成に使用したものを用いてもよい。後者は柔らかくなる。尚、裁断紙に稲藁発酵液を入れると、３日位で泡立って発酵状態となる。
【０００９】
裁断紙は、新聞紙、週刊誌、雑誌、事務用紙、レポート用紙などを３〜８ｍｍ幅長さ３〜８ｃｍ程度に裁断したものである。尚、上記混練物中に水溶性の接着剤を混入しておくと、植物栽培基盤材や植物栽培用容器の乾燥後強度が増す。
【００１０】
稲藁発酵液の代わに水を用いた場合は、数１０日以上掛かっても裁断紙は溶解せず、また裁断紙同志が接着することもない。これに対し、稲藁発酵液を用いた場合は、理由は明らかでないが数日で裁断紙の一部が溶解し、また裁断紙の接着も見られる。これにより、裁断紙の絡みが行われてしっかりした植物栽培基盤材或いは植物栽培用容器が得られることになる。また、稲藁発酵液が養分になるのか芝や栽培した植物の生育も良好になる。
【００１１】
本発明の植物栽培基盤材は、底面或いは底面と側面から脱水できる薄形容器に、前記した裁断紙の一部溶解物に稲藁スサを加えて混練したものを充填して成型し、脱型後乾燥或いはある程度乾燥した後脱型して乾燥して製造するものである。或る程度乾燥してから脱型すると変形が無い。この植物栽培基盤材は、例えば、カット芝を乗せて散水・養生し、これを屋上や庭園など芝生を敷設したい箇所に敷設する。またこの植物栽培基盤材に適宜な孔を開けたものを地面に配置し、該孔に苗木を挿入してから散水すると、簡単に植林が出来る。
【００１２】
或いは、この植物栽培基盤材の底面或いは上面に窪みや突状などの凹凸を設け、その上に平板状の植物栽培基盤材を載せて芝等を敷設すると、平板状の植物栽培基盤材の下面に空洞部ができて、屋上緑化に使用した場合に、断熱効果がより大きくなる。勿論、窪みや凹凸のあるものでも、カット芝を栽培することができる。
【００１３】
脱水できるザルやカゴなどの湾曲状容器に、前記した裁断紙の一部溶解物に稲藁スサを加えて混練したものを充填して成型し、脱型後乾燥或いはある程度乾燥した後脱型して乾燥すると、植木鉢状や深皿状の植物栽培用容器が得られる。これには、先ず、外型となる湾曲状容器に混練物を入れ、次に内型となる湾曲状容器で押さえるようにして脱水した後脱型後乾燥する。
【００１４】
底面或いは底面と側面から脱水できる箱形や逆錐台形などの容器の中央部に筒状の型を置き、両者の間隙に請求項１の混練物を充填して成型し、脱型後乾燥或いはある程度乾燥した後脱型して乾燥すると、肉厚なブロック状の植物栽培用容器が得られる。この場合、先ず、箱形や逆錐台形などの容器に混練物を入れ、次いでその中央部に、筒状の型を押し込むようにして成形し、ある程度乾燥してから型を外して乾燥させると、中央部の型崩れがなく良好なものが得られる。
【００１５】
成型用容器に、麻布などの補強材を敷いたのち、前記した混練物を充填して成型乾燥すると、補強された植物栽培基盤材或いは植物栽培用容器が得られる。
【００１６】
本発明では、まず稲藁発酵液を作る必要がある。稲藁発酵液は、例えば大きなポリバケツに稲藁或いは稲藁スサ４０Ｌ程度を投入し、これに水１０〜３０Ｌを投入して数日〜数十日（季節により異なり、冬季は２週間〜２０日程度夏季は１週間〜１０日程度以上）間放置しておき、その上澄み液を取ったものである。放置期間中に、数回攪拌すると反応が良好になる。上澄み液を取ったあとの藁はまた水を加え放置しておくと、稲藁発酵液が得られる。３回程度これを繰り返すと藁の繊維が次第に消滅してくる。尚、稲藁を水に長期間（１〜３月以上）漬けておいてもよい。漬ける期間が長くなると、稲藁に付着しているナットウ菌（バチルス菌）の増殖がより盛んになる。しかし、１週間以上程度でも実用上、十分な菌の発生が見られる。
【００１７】
この稲藁発酵液の２０〜４０Ｌを、同様に大きなポリバケツに入れた４０Ｌ程度の裁断紙に加え、数日〜十数日（冬季で１〜２週間、夏季で４〜１０日程度）放置し、或いは数回攪拌すると、裁断紙の一部が溶解し始める。この状態で、一部溶解物に稲藁スサを一部溶解物１に対して稲藁スサ0.１〜２の割合で加えて混練し、この混練物を型に入れて成形乾燥すると、植物栽培基盤材或いは植物栽培用容器が得られる。
【００１８】
型は、植物栽培基盤材の場合、底面或いは底面と側面から脱水できる薄形容器とする。基盤材の底や上面に窪みや突状などの凹凸ができるように、容器の底に凹凸や凸状や凹状の溝を設けておいてもよい。芝を栽培する場合、型に入れて湿った状態の物の上にカット芝を置いて加圧して乾燥するようにしてもよい。この場合、取り扱いに注意しないと型崩れするおそれがある。型に入れて脱水したスサ発酵液は再度回収して使用する。
【００１９】
尚、型を置くまえに、下に型よりも幾分大きくカットしたネットや織物などを敷いておくと脱水乾燥が良好に行われる。型の寸法は自由にきめられるが、２０〜３０ｃｍ四方程度で厚みが２０〜４０ｍｍ程度のものが使いやすい。植物栽培基盤材の製造に必要な混練物の流し込み量は、２０〜４０ｍｍ程度の厚みになるように、手や道具で掻き均し、押圧する。１〜数日たってから型を外し、ネットの両端をもって乾燥場所に移動させる。厚みにもよるが、１〜２週間程度でほぼ完全に乾燥する。尚、稲の苗を育てる育苗箱（幅２８ｃｍ程度、長さ５５ｃｍ程度、深さ２〜３ｃｍ程度）も、型として理想的である。
【００２０】
このようにして得られた植物栽培基盤材は、アスファルト、コンクリート、鉄板、木板などの基材の上に並べ、その上からカット芝を乗せて散水する。十分な散水で、乾燥していた基盤材が吸水して重量が増すので、カット芝を乗せた基盤材は動かない。吸水した基盤材は、保水性が大きいので、吸水した水分の蒸発を緩やかにし、芝への給水も長期間継続する。
【００２１】
栽培期間は、気温によっても変わってくるが、おおよそ２〜３カ月で５〜６ｃｍ程度に生育する。基盤材への給水は、雨水等でほぼ十分であるが、屋根など乾燥が激しい箇所では時々散水するとよい。
【００２２】
植物栽培用容器の場合の型は、脱水できるザルやカゴ状などの湾曲状容器を内外型とするか、底面或いは底面と側面から脱水できる箱形や逆錐台形などの容器の中央部に筒状の型を置くタイプが考えられる。これらを用いると、植木鉢状や深皿状、ブロック状の植物栽培容器が得られる。前者の場合、脱水できるザルやカゴなどの湾曲状容器を外型としそれより小さい湾曲状容器を内型として形成する。まず、外型の中に、適当量の混練物を入れ、次に内型を押し込んで脱水させて成形する。次に、ある程度乾燥した後、内外の型を外して乾燥させると、植木鉢状のものが得られる。後者では、箱形や逆錐台形などの容器に適当量の混練物を入れ、次に中央部に筒状の型を押し込んで空隙部を作るようにして成型し、ある程度乾燥してから脱型して乾燥させると、ブロック状のものが得られる。
【００２３】
植物栽培基盤材或いは植物栽培用容器を形成する成型用容器に、麻布などの補強材を敷いたのち、混練物を充填して成型乾燥すると、湿っても型崩れしない補強された植物栽培基盤材或いは植物栽培用容器が得られる。
【００２４】
尚、植物栽培用容器には、土や来待石粉末を造粒して乾燥或いは焼成した栽培土、或いは請求項１の稲藁発酵液に裁断紙を浸漬して裁断紙を一部溶解したものを造粒した軽量栽培土を充填して、植物を栽培することができる。後二者の造粒品は水を１０〜３０％含むことができるので、時々水を霧吹きで与える程度で十分に植物を生育させることができる。この容器は軽量で、落としても破損しないし、使用後は焼却処分ができる優れたものである。植物栽培用容器の底にアルミホイルやフイルムなどの遮水材を敷くか、或いは植物栽培用容器に遮水性の塗料を塗布すると水漏れを防ぐことができる。
【００２５】
稲藁スサに加えて、おが屑や籾殻、ゼオライト、炭の粉末などの吸水材を一部溶解物１に対して0.１〜0.３の割合で加えて混練し、この混練物を型に入れて成形乾燥すると乾燥が早まる利点がある。稲藁発酵液を作る場合、稲藁或いは稲藁スサとともに籾殻を稲藁の半分乃至１／４程度程度加えると、発酵が幾分早まる利点がある（通常１〜３週間程度が２〜３割程度早くなる）。また、夏場の乾燥に対しては、前記混練物に対しておが屑や籾殻などを加えると、これらの含水による植物栽培基盤材の乾燥を防ぐ効果がある。量が少ないと効果がないし、多すぎると植物栽培基盤材を移動する場合に崩れたりするので、上記範囲で適宜割合にする必要がある。植物栽培基盤材を作る場合に、混練物に肥料（即効性、遅効性）を添加してもよい。
【発明の効果】
【００２６】
以上詳述したように、本発明は、稲藁或いは裁断した稲藁或いは更に籾殻を水に浸漬して発酵させて得た稲藁発酵液に裁断紙を浸漬して裁断紙を一部溶解し、該一部溶解物に前記稲藁発酵液を作った稲藁スサ或いは新規に作った稲藁スサを加えて混練した後成形し、次いで乾燥した植物栽培基盤材或いは植物栽培用容器及びそれらの製造方法である。また、この植物基盤材をアスファルトやコンクリートなどの基材の上に並べその上からカット芝を乗せるとともに散水する芝の育成方法、及び、植物栽培用容器を植木鉢とし、土や来待石粉末を造粒して乾燥或いは焼成した栽培土、或いは請求項１の稲藁発酵液に裁断紙を浸漬して裁断紙を一部溶解したものを造粒した軽量栽培土を充填して、植物を栽培する植物の栽培方法である。
【００２７】
従って、
（１）稲藁或いは稲藁スサを水に浸漬して発酵させて得た稲藁発酵液に数〜十数日間裁断紙を浸漬するだけで、裁断紙は一部溶解膨潤してボール状となる。そして、これに稲藁スサを混練して成形して乾燥すると、簡単に植物栽培基盤材や植物栽培用容器が得られる。そして、この植物栽培基盤材や植物栽培用容器は、稲藁発酵液の養分もあって植物の成長に好ましいものである。
（２）材料は、古新聞や雑誌などの廃物と水、それに稲藁であり、安価に得られる。
（３）稲藁発酵液の中に接着剤を混入しておくと、裁断紙や稲藁スサの接合がより強固になる。
（４）本発明の植物栽培基盤は、ネットや織物を付けたまま或いはこれらを除去したのち、土やコンクリート面にそのまま、或いは裏面側に接着材を塗布して石やコンクリート面に接着したりする。これにより、確実にコンクリート打設面や地面に植物栽培基盤材或いはこれに芝を育成した芝基盤材を設けることができる。
（５）本発明の植物栽培基盤材は乾燥しており、不安定な場所では接着剤によって固定したり、更にはカット芝を防鳥ネットや防虫ネットで抑えることで、芝が基盤材に活着し易くするとともに、風その他飛散による人為的な事故を防ぐことができる。また、本発明の植物栽培基盤材は軽量であることから、運搬が容易であり、且つ散水することにより芝の成長を促し、機材の有する保水性で芝の乾燥を防ぐ利点もある。
（６）本発明の植物栽培用容器は、軽量であり、落としても破損しないし、廃棄する場合も焼却ができるうえ、栽培土壌として軽量で保水性に優れた来待石の粉末の造粒品や焼成品、或いは裁断紙を一部溶解したものを造粒した軽量栽培土を用いれば、全体が軽量化できる効果がある。
【図面の簡単な説明】
【００２８】
【図１】本発明の稲藁発酵液を製造する状態の一例を示す一部を破断した正面図であり、（ａ）は稲藁スサと籾殻に水を加えた時の状態を示し、（ｂ）は２週間程度経った状態を示す。（実施例１）
【図２】裁断紙に稲藁発酵液を加えた状態の一例を示す一部を正面図であり、（ａ）は裁断紙に稲藁発酵液を加えた時の状態、（ｂ）は１０日程度経過後の状態を示す。（実施例１）
【図３】型に裁断紙の一部溶解物と稲藁スサの混練物を入れた状態の斜視図である。（実施例１）
【図４】型を外した状態の一部溶解物と稲藁スサの混練物を示す斜視図である。（実施例１）
【図５】一部溶解物と稲藁スサの混練物を乾燥場へ移動させる状態の側面図である。（実施例１）
【図６】乾燥した植物栽培基盤材にカット芝を乗せた状態の側面図である。（実施例２）
【図７】カット芝を乗せた植物栽培基盤材に散水する状態を示す斜視図である。（実施例２）
【図８】トタン屋根等凹凸がある場所に芝を育成した植物栽培基盤材を接着する状態の側面図である。（実施例３）
【図９】（ａ）は、上面に複数（図では３本）の突状１８を設けた植物栽培基盤材、（ｂ）は上面に多数の窪みを設けた植物栽培基盤材を示す斜視図である。（実施例４）
【図１０】（ａ）は図９（ａ）の植物栽培基盤材の上に図６に示す植物栽培基盤材を載せた状態のＸ−Ｘ線（図９（ａ））断面図、（ｂ）は図９（ｂ）の植物栽培基盤材の上に図６に示す植物栽培基盤材を載せた状態のＹ−Ｙ線（図９（ｂ））断面図である。（実施例４）
【図１１】植木鉢状或いは深鉢状の植物栽培用容器の作り方を示すもので（ａ）は大きい湾曲状容器に混練物を充填し、その上から小さい湾曲状容器を押しつける状態の正面図、（ｂ）は圧縮した状態の正面図、（ｃ）は上下の湾曲状容器を脱型した状態の正面図である。（実施例５）
【図１２】図１１に示す植物栽培用容器に補強材を取り付けるもので、（ａ）は大きい湾曲状容器に補強材を被せて混練物１１を充填する状態の正面図、（ｂ）はその上から小さい湾曲状容器を押しつける状態の正面図、（ｃ）は圧縮した状態の側面図、（ｄ）は上下の湾曲状容器を脱型した状態の正面図である。（実施例６）
【図１３】（ａ）は逆錐台形容器に混練物を充填した状態の正面図、（ｂ）は筒状の型を押し込んで空隙部を作る状態の正面図、（ｃ）はブロック状の植物栽培容器を示す斜視図、（ｄ）は植物栽培容器の植栽用の孔に、造粒品を入れて植物を植えた状態の正面図である。（実施例７）
【発明を実施するための形態】
【００２９】
稲藁或いは裁断した稲藁スサを水に浸漬して発酵させて得た稲藁発酵液に裁断紙を浸漬して裁断紙を一部溶解し、該一部溶解物に稲藁スサを加えて混練した後成形し、次いで乾燥する。
【実施例１】
【００３０】
以下、本発明を図面に基づいて詳細に説明する。図１（ａ）は、本発明に使用する稲藁発酵液１を製造する場合の一例を示す。まず、５０Ｌ程度の容量のプラスチック容器２に、稲藁スサ３を３０Ｌと籾殻４を１０Ｌ投入し、これに水２０Ｌを加えて約８日程度放置しておく。この期間は冬季と夏期では異なるが、８日は春〜夏の数値である。内容物は時々攪拌する。そうすると、次第に水に色が付き、図１（ｂ）に示すように、１週間経過すると褐色透明な稲藁発酵液１が得られる。尚、稲藁スサのみの場合、同じく４０Ｌ程度を使用するが、この場合には稲藁発酵液は１０日（春〜夏）程度で得られる。
【００３１】
この稲藁発酵液１の３０Ｌを、図２（ａ）に示すように同様に大きなポリバケツ５に入れた４０Ｌ程度の裁断紙６に加え、４〜１４日程度放置しておくと、裁断紙６の一部が溶解し始める（図２（ｂ））。この状態で、一部溶解物６′に対して稲藁スサ７を0.１〜２の割合で加えて混練し、この混練物を型に入れて成形乾燥すると、植物栽培基盤材１２が得られる（図３、図４）。図３は、裁断したネット８の上に、発泡プラスチックの枠９内に角柱１０を４本組み入れたもので成形枠を作り、その中に脱水した一部溶解物６′と稲藁スサ７を混練した混練物１１を投入して掻き均す。成形枠の寸法は、例えば、縦２５０ｍｍ：横２００ｍｍ、厚み３０ｍｍ程度である。型に入れて脱水した稲藁発酵液１は再度回収して使用する。成形枠として、育苗箱（幅２８ｃｍ程度、長さ５５ｃｍ程度、深さ２〜３ｃｍ程度）を使用してもよい。
【００３２】
次に、この混練物１１を成形枠から取り外す（図４）。そして、図５に示すように、ネット８ごと持ち上げて室内などの乾燥場所へ移動する。ここで、約１〜２週間乾燥して植物栽培基盤材１２としたのち、保存する。尚、上記混練物に、0.１〜３％程度のボンドなどの水溶性接着剤を混ぜて使用すると丈夫な植物栽培基盤材１２が得られる。
【実施例２】
【００３３】
本発明の植物栽培基盤材１２は、例えば図６のようにして使用する。まず、芝などを生やしたい場所に、植物栽培基盤材１２を並べ、その上からカット芝１３をのせて散水１４する（図７）。十分な散水で乾燥していた植物栽培基盤材１２が吸水して重量が増すので、カット芝１３を乗せた植物栽培基盤材１２は動かない。吸水した植物栽培基盤材１２は保水性能が大きいので、吸水した水分の蒸発を緩やかにし、芝への給水を長期間継続する。そして、２〜３ケ月もすると、芝が植物栽培基盤材に根づき、成長を始める。或いは、庭や畑、コンクリート敷地などで芝或いは他の植物例えば苔や野草等を栽培しようとする場合、広い面にこの植物栽培基盤材１２を敷設し、ここにカット芝やカット苔、牧草、野草そのた植物の苗や種を撒き、散水する。そうすると、植物栽培基盤材１２の保水性で当分水をやらなくても植物は成長する。
【実施例３】
【００３４】
図８は、本願の植物栽培基盤材１２をトタン屋根等の凹凸の面１５に施工する状態を示す。まず、図８（ａ）のトタン屋根１５の凸部１５ａに、接着材１６を塗布し、この部分にカットした植物栽培基盤材１２ａを接着する（図８（ｂ））。そして、この部分にカット芝１３ａを張り、その上から屋根全体を覆うように防鳥ネット１７を張り、カット芝１３ａを押さえる（図８（ｃ））。
【００３５】
次に、図８（ｄ）のように、凹部の防鳥ネット１７の上から、植物栽培基盤材１２を張り、次いで図８（ｅ）のように植物栽培基盤材１２の上からカット芝１３ｂを張り、散水して、トタン屋根の屋上緑化を完成する。
【実施例４】
【００３６】
図９（ａ）に示す植物栽培基盤材１２′は、上面に複数（図では３本）の突状１８を設けている。また、図９（ｂ）に示す植物栽培基盤材１２′′は、上面に多数の窪み１９を設けている。これらは、前記した植物栽培基盤材１２と異なり、カット芝１３を載置栽培することはないが、これらの上に、図１０（ａ）或いは図１０（ｂ）に示すように通常の植物栽培基盤材１２を載せて屋根上などに載置すると、上面の凹条部分や窪みが空洞部（空気層）１８′、１９′となり、断熱効果を更に向上させる。これらの植物栽培基盤材１２′、１２′′に、カット芝１３を載置栽培してもよい。
【実施例５】
【００３７】
次に、図１１は、植木鉢状或いは深鉢状の植物栽培用容器の作り方を示す。まず、図１１（ａ）に示すように、大きい方のザル２０（或いはカゴ）などの、脱水できる湾曲状容器に、実施例１と同様にして裁断紙の一部溶解物６′と稲藁スサ７を混合した混練物１１を充填し、その上から図１１（Ｂ）に示すように小さい方のザル２１（或いはカゴ）を押しつけて混練物１１を脱水しつつ圧縮する。そして、１〜２日経って幾分混練物１１が幾分乾燥した段階で、上下のザル２０、２１を外し、５日〜１０日程度乾燥させると、図１１（ｃ）に示すような植木鉢状或いは深鉢状の植物栽培用容器２２が得られる。乾燥日数は容器の厚みにより決まる。尚、植物栽培用容器２２の形状は、ザルやカゴ２０、２１の形状によって決まる。
【実施例６】
【００３８】
図１２は、前記例の植物栽培用容器２２に、補強材を取り付けた例を示す。まず、図１２（ａ）のように、大きい方のザル２０（或いはカゴ）などの、脱水できる湾曲状容器に、適宜大きさに裁断した麻布や不織布（でき得れば、天然繊維の）などの補強材２３を被せ、その上から前記した混練物１１を充填し、更にその上から図１２（ｂ）に示すように小さい方のザル２１（或いはカゴ）を押しつけて混練物１１を脱水しつつ圧縮する。その際、補強材２３の縁は内側に折り畳んで混練物１１で上から押さえ、図１２（ｃ）に示すようにする。この状態で、１〜２日経って幾分混練物１１が乾燥した段階で、上下のザル２０、２１を外し、５日〜１０日程度乾燥させると、図１２（ｄ）に示すように、外側が補強材２３で補強された植木鉢状或いは深鉢状の植物栽培用容器２４が得られる。乾燥日数は容器の厚みにより決まる。この場合も、植物栽培用容器２４の形状は、ザルやカゴ２０、２１の形状によって決まる。
【実施例７】
【００３９】
図１３は、他の植物栽培用容器の例を示す。まず、図１３（ａ）に示すように、底面から脱水できる逆錐台形の容器２５に、前記した混練物１１を充填し押圧する。混練物１１の余分な水（稲藁発酵液１）は容器２５の底の排水孔２６から排出される。排出された稲藁発酵液１は、再利用することができる。次に、図１３（ｂ）に示すように、その中央部に筒状の型２７を押し込んで空隙部を作るようにして成型し、ある程度乾燥して（２〜５日）から脱型して２〜３週間乾燥すると、図１３（ｃ）に示すような肉厚なブロック状の植物栽培容器２８が得られる。ある程度乾燥してから脱型するので、中央部の型崩れが生じない。そして、中央部の空隙部が植栽用の孔２９となる。
【００４０】
このブロック状の植物栽培容器２８は、図１３（ｄ）に示すように、その植栽用の孔２９に、栽培土や豆石３０（来待石粉末を造粒して乾燥或いは焼成した造粒物）、或いは紙豆石（請求項１の稲藁発酵液に裁断紙を浸漬して裁断紙を一部溶解したものを造粒した軽量造粒物）を充填し、植物３１を栽培する。後二者の造粒物は水を１０〜３０％含むことができるので、時々水を霧吹きで与える程度で十分に植物を生育させることができる。
【００４１】
尚、植木鉢状或いは深鉢状の植物栽培用容器２２及びブロック状の植物栽培容器２８には、共に、前記来待石粉末を造粒して乾燥或いは焼成した栽培土や、
請求項１の稲藁発酵液に裁断紙を浸漬して裁断紙を一部溶解したものを造粒した軽量栽培土或いは通常の栽培土を充填して、植物を栽培することができる。これらの容器は、軽量で、落としても破損しないし、使用後は焼却処分ができる優れたものである。植物栽培用容器の内外の底にアルミホイルやフイルムなどの遮水材を敷いたり貼ったりして、或いは植物栽培用容器に遮水性の塗料を塗布することで水漏れを防ぐことができる。
【００４２】
ブロック状の植物栽培容器２８の場合も、実施例１に示す植物栽培基盤材１２の場合も、成型用容器に、麻布や不織布などの補強材を敷いたのち、前記した混練物を充填して成型乾燥すると、湿っても型崩れしない補強された植物栽培基盤材或いは植物栽培用容器が得られる。
【産業上の利用可能性】
【００４３】
古新聞や古雑誌などと水及び稲藁が原料であるため安価大量に得られるとともに、得られた植物栽培基盤材は軽量でどこでも固定でき、芝などの植物体の栽培基盤として優れたものである。また、植物栽培用容器は、軽量でしかも焼き物と異なり落としても丈夫で破損することがないうえ、不要になれば焼却処分できる利点がある。また、土壌として来待石粉末の造粒品や焼成品、稲藁発酵液に裁断紙を浸漬して裁断紙を一部溶解したものを造粒したものを用いれば、保水性や通気性にも優れ、植物の生育に理想的なものである。
【符号の説明】
【００４４】
１    稲藁発酵液
２    プラスチック容器
３    稲藁スサ
４    籾殻
５    ポリバケツ
６    裁断紙
６′  一部溶解物
７    稲藁スサ
８    裁断したネット
９    発泡プラスチックの枠
１０    角柱
１１    一部溶解物と稲藁スサの混練物
１２    植物栽培基盤材
１３    カット芝
１３ａ  カット芝
１４    散水
１５    トタン屋根
１６    接着材
１７    防鳥ネット
１２′  植物栽培基盤材
１２′′植物栽培基盤材
１８    突状
１９    窪み
１８′  空洞部（空気層）
１９′  空洞部（空気層）
２０    大きいザル
２１    小さいザル
２２    植木鉢状或いは深鉢状の植物栽培用容器
２３    補強材
２４    補強された植木鉢状或いは深鉢状の植物栽培用容器
２５    逆錐台形の容器
２６    排水孔
２７    筒状の型
２８    肉厚なブロック状の植物栽培容器
２９    植栽用の孔
３０    豆石
３１    植物
【図１】
2010263883.tif 000003
【図２】
2010263883.tif 000004
【図３】
2010263883.tif 000005
【図４】
2010263883.tif 000006
【図５】
2010263883.tif 000007
【図６】
2010263883.tif 000008
【図７】
2010263883.tif 000009
【図８】
2010263883.tif 000010
【図９】
2010263883.tif 000011
【図１０】
2010263883.tif 000012
【図１１】
2010263883.tif 000013
【図１２】
2010263883.tif 000014
【図１３】
2010263883.tif 000015